(57)【特許請求の範囲】
【請求項１】
車両ルーフに設置する車両用ルーフマウントアンテナ装置であって、該車両用ルーフマウントアンテナ装置は、
板状のアンテナベースと、
前記アンテナベースの車両ルーフ側の面から突出する管状脚部と、
前記管状脚部の先端近傍からアンテナベース側に延在して設けられる仮止め部であって、管状脚部の先端近傍を支点に撓み可能に構成されると共に車両ルーフに設けられる設置孔に係止する係止爪を仮止め部の先端側に有し、管状脚部が設置孔を貫通する際に管状脚部内側方向に撓み、貫通後に元の位置に戻り設置孔に係止する仮止め部と、
車両室内から車両用ルーフマウントアンテナ装置にケーブルを接続するための、管状脚部が設置孔を貫通後に車両室内側から嵌合されるケーブル接続部であって、管状脚部が設置孔を貫通後に、仮止め部が管状脚部内側方向に撓まないように、仮止め部を管状脚部内側から支えるための、アンテナベース側の面から突出し管状脚部の内側に嵌合する管状突出部を有する、ケーブル接続部と、
を具備することを特徴とする車両用ルーフマウントアンテナ装置。
【請求項２】
請求項１に記載の車両用ルーフマウントアンテナ装置において、前記管状脚部の内周形状及び管状突出部の外周形状は、管状突出部を管状脚部に挿入する角度が所定方向に固定されるように、挿入方向を軸とする回転方向で回転制限を受ける形状であることを特徴とする車両用ルーフマウントアンテナ装置。
【請求項３】
請求項１又は請求項２に記載の車両用ルーフマウントアンテナ装置において、前記管状突出部は、その外周先端が面カットされることを特徴とする車両用ルーフマウントアンテナ装置。
【請求項４】
請求項１乃至請求項３の何れかに記載の車両用ルーフマウントアンテナ装置において、
前記アンテナベースは、その車両ルーフ側の面から突出し、係止部を有する回転防止突出部を具備し、
前記ケーブル接続部は、回転防止突出部の係止部と係止する係止部を具備することを特徴とする車両用ルーフマウントアンテナ装置。
【発明の詳細な説明】
【技術分野】
【０００１】
本発明は車両用ルーフマウントアンテナ装置し、特に、車両ルーフに設置する際に車両ルーフに仮止めされる車両用ルーフマウントアンテナ装置に関する。
【背景技術】
【０００２】
一般に、車両用ルーフマウントアンテナ装置は、その設置の際に、アンテナベースから車両ルーフ側に伸びた脚部の先端に設けられる仮止爪で車両ルーフに仮止めされた後に、車両室内側からねじ止めにより固定される。
【０００３】
例えば、本願出願人と同一出願人による特許文献１には、アンテナベース側を支点に撓み可能に構成された複数の突出爪が設けられている仮止め構造が開示されている。特許文献１に開示の技術は、アンテナ装置を車両ルーフに設置の際に、車両ルーフの設置孔に突出爪を挿入し、突出爪がアンテナベース側を支点に、先端側が設置孔の内側に撓み、設置孔通過後に突出爪が元の形状に戻り、車両ルーフに係止されることでアンテナベースが仮止めされるものである。
【０００４】
また、このような仮止爪により、車両ルーフにアンテナベースが仮止めされる車両用ルーフマウントアンテナ装置の他の例としては、例えば特許文献２がある。特許文献２には、アンテナベースから突出する筒状体に、アンテナベース側を支点に撓み可能に構成された係止爪が設けられている仮止め構造が開示されている。この例でも、アンテナ装置を車両ルーフに設置の際に、車両ルーフの設置孔に筒状体を挿入し、設置孔を貫通する際に係止爪がアンテナベース側を支点に、先端側が設置孔の内側に撓み、設置孔通過後に係止爪が元の形状に戻り、車両ルーフに係止されることでアンテナベースが仮止めされるものである。
【先行技術文献】
【特許文献】
【０００５】
【特許文献１】ＷＯ２００５／０５４０１０
【特許文献２】特開２０１０−１４７７７７号公報
【発明の概要】
【発明が解決しようとする課題】
【０００６】
しかしながら、上述のような従来技術は、何れもアンテナベース側を支点に撓み可能に構成されているものである。このような構成の場合、係止部の長さ、即ち、アンテナベース側から延在し車両ルーフの設置孔を貫通して車両室内側に延びる先端部までの長さが、車両ルーフの厚み等に応じて長くなり、係止部の強度が弱くなるため仮止め時のアンテナベースのガタつきが大きくなる場合があった。また、車両ルーフの設置孔を貫通する際に、係止部が内側に撓んだまま曲がり癖が付いてしまい、固定力が低下し、ねじ止めを行う際にアンテナベースが脱落してしまう場合もあった。そして、このような変形が生じると、固定用のねじが接触してしまい、アンテナ装置の車両ルーフへの固定がスムーズに行かない場合もあった。さらに、アンテナ装置を一旦取り外した上で再度取り付ける必要が生じた場合、取り外す際に係止部が折れてしまう恐れもあった。また、車内の設置スペースが限られているため、アンテナベースから突出する仮止め部の長さを短くしたいという要望もあった。
【０００７】
本発明は、斯かる実情に鑑み、車両ルーフに確実に仮固定され、仮止め部の設計自由度も高い車両用ルーフマウントアンテナ装置を提供しようとするものである。
【課題を解決するための手段】
【０００８】
上述した本発明の目的を達成するために、車両用ルーフマウントアンテナ装置は、板状のアンテナベースと、アンテナベースの車両ルーフ側の面から突出する管状脚部と、管状脚部の先端近傍からアンテナベース側に延在して設けられる仮止め部であって、管状脚部の先端近傍を支点に撓み可能に構成されると共に車両ルーフに設けられる設置孔に係止する係止爪を仮止め部の先端側に有し、管状脚部が設置孔を貫通する際に管状脚部内側方向に撓み、貫通後に元の位置に戻り設置孔に係止する仮止め部と、を具備するものである。
【０００９】
さらに、車両室内から車両用ルーフマウントアンテナ装置にケーブルを接続するための、管状脚部が設置孔を貫通後に車両室内側から嵌合されるケーブル接続部を具備し、ケーブル接続部は、そのアンテナベース側の面から突出し管状脚部の内側に嵌合する管状突出部を有するものであっても良い。
【００１０】
また、管状突出部は、管状脚部が設置孔を貫通後に、仮止め部が管状脚部内側方向に撓まないように、仮止め部を管状脚部内側から支えるものであっても良い。
【００１１】
また、管状脚部の内周形状及び管状突出部の外周形状は、管状突出部を管状脚部に挿入する角度が所定方向に固定されるように、挿入方向を軸とする回転方向で回転制限を受ける形状であっても良い。
【００１２】
また、管状突出部は、その外周先端が面カットされても良い。
【００１３】
そして、アンテナベースは、その車両ルーフ側の面から突出し、係止部を有する回転防止突出部を具備しても良く、ケーブル接続部は、回転防止突出部の係止部と係止する係止部を具備するものであっても良い。
【発明の効果】
【００１４】
本発明の車両用ルーフマウントアンテナ装置には、車両ルーフに確実に仮固定され、仮止め部の設計自由度も高いという利点がある。
【図面の簡単な説明】
【００１５】
【図１】図１は、本発明の車両用ルーフマウントアンテナ装置を説明するための斜視図である。
【図２】図２は、本発明の車両用ルーフマウントアンテナ装置を説明するための断面図である。
【図３】図３は、本発明の車両用ルーフマウントアンテナ装置を説明するための底面図である。
【図４】図４は、本発明の車両用ルーフマウントアンテナ装置のケーブル接続部を説明するための斜視図である。
【図５】図５は、本発明の車両用ルーフマウントアンテナ装置の管状脚部とケーブル接続部が嵌合する状態を説明するための断面図である。
【図６】図６は、本発明の車両用ルーフマウントアンテナ装置の管状脚部とケーブル接続部が嵌合する状態を説明するための断面図である。
【図７】図７は、本発明の車両用ルーフマウントアンテナ装置のさらに他の例を説明するための側面図である。
【発明を実施するための形態】
【００１６】
以下、本発明を実施するための形態を図示例と共に説明する。図１は、本発明の車両用ルーフマウントアンテナ装置を説明するための斜視図であり、図２はその断面図、図３はその底面図である。図中、同一の符号を付した部分は同一物を表わしている。図示の通り、本発明の車両用ルーフマウントアンテナ装置は、アンテナベース１０と、管状脚部２０と、仮止め部３０とから主に構成されている。車両用ルーフマウントアンテナ装置は、車両ルーフＲの設置孔Ｈに仮固定される。
【００１７】
アンテナベース１０は、板状のものである。そして、アンテナベース１０を覆うように、アンテナカバー（図示せず）が設けられる。図示例では、具体的には、アンテナロッドへの導通を確保するための導電板１１が樹脂にインサート成型されたものを示した。そして、ねじ１２がアンテナベースを貫通するように配置されている。このねじ１２は、車両ルーフＲを挟むように後にナットにより車両室内側から締結されるものである。なお、図示例ではねじ１２のねじ頭をアンテナベース１０側に設ける例を示したが、本発明はこれに限定されず、アンテナベース１０側にナットやねじ穴を設け、後にねじにより車両室内側から締結される構成であっても良い。また、ねじやナットは、インサート成型により樹脂と一体的に設けられていても良い。さらに、アンテナベース１０は、例えばアンテナ回路基板等のグラウンドとなるように導電性のもので形成されても良い。アンテナ回路基板等がアンテナベース１０に載置される場合には、ねじ１２は中空のねじボス状のもので構成されれば良い。
【００１８】
管状脚部２０は、アンテナベース１０の車両ルーフＲ側の面から突出するものである。図示例では、管状脚部２０は、円筒状の外周形状を有している例を示した。しかしながら、管状脚部２０の外周形状は、車両ルーフＲに設けられる設置孔Ｈの形状に対応して決定されれば良く、例えば設置孔Ｈが４角形状であれば、それに合わせて管状脚部２０の外周形状も４角柱状の外周形状を有するように構成されれば良い。管状脚部２０は、アンテナベース１０に設けられるねじ１２の外周を囲むように、所定の間隔を開けて設けられている。この所定の間隔は、後述のケーブル接続部の管状突出部の肉厚に合わせて決定されれば良い。管状脚部２０は管状であるため、車両ルーフＲの設置孔Ｈに挿入時に変形しづらい。また、管状脚部２０は、その外周先端が面カットされても良い。これにより、設置孔Ｈへ挿入しやすくなっている。
【００１９】
そして、本発明の車両用ルーフマウントアンテナ装置の最も特徴的な部分である仮止め部３０は、管状脚部２０の先端近傍からアンテナベース１０側に延在している。また、仮止め部３０は、管状脚部２０の先端近傍を支点に撓み可能に構成されている。即ち、仮止め部３０は、管状脚部２０の先端近傍側が固定されると共に、アンテナベース１０側が管状脚部２０の内側方向に移動可能に構成されている。図示例では、仮止め部３０を２箇所に設けた例を示したが、本発明はこれに限定されず、仮固定可能な個数あれば良く、最低１か所でも良いし、より多く設けても良い。そして、仮止め部３０は、車両ルーフＲに設けられる設置孔Ｈに係止するための係止爪３１を仮止め部の先端側に有している。仮止め部３０は、管状脚部２０が設置孔Ｈを貫通する際に管状脚部２０内側方向に撓み、貫通後に元の位置に戻り設置孔Ｈに係止する。この際、仮に製造誤差等により、仮止め部３０が外側に撓んでいたとしても、管状脚部２０の先端近傍に仮止め部３０は固定されており、常にフラットな状態であるため、挿入時に仮止め部３０が折れ曲がる等のおそれはない。また、このような構成により、仮止め部３０の長さは、車両ルーフＲの厚み等には影響を受けず、仮止め部３０の撓む距離や剛性等を基に仮止め部３０の長さを決定することが可能となる。
【００２０】
このような構成の本発明の車両用ルーフマウントアンテナ装置を車両ルーフに設置する際には、車両ルーフＲの設置孔Ｈに、アンテナベース１０から突出する管状脚部２０を挿通する。このとき、管状脚部２０に設けられた仮止め部３０が、管状脚部２０の先端近傍を支点に管状脚部２０の内側方向に撓み、貫通後に元の位置に戻り係止爪３１が設置孔Ｈに係止する。これにより車両用ルーフマウントアンテナ装置は車両ルーフＲに仮止めされる。そして、車両室内側からねじ１２に対応するナット等によりねじ締めし、完全に固定される。
【００２１】
このように、本発明の車両用ルーフマウントアンテナ装置は、仮止め部が管状脚部の先端側からアンテナベース側に延在し、管状脚部の先端近傍を支点に撓み可能に構成されることで、その長さの設計自由度が高くなった。したがって、所望の剛性を有する仮止め部を容易に設計することが可能となり、また、省スペース化も可能となる。そして、剛性を高くすることが可能となるため、仮止め部が内側に撓んだまま曲がり癖が付いてしまうようなことも防止可能であり、確実に車両ルーフに仮固定されることになる。
【００２２】
次に、車両内部から車両用ルーフマウントアンテナ装置にケーブルを接続するためのケーブル接続部を有する例について、図４乃至図６を用いて説明する。図４は、本発明の車両用ルーフマウントアンテナ装置のケーブル接続部を説明するための斜視図であり、図５及び図６は管状脚部とケーブル接続部が嵌合する状態を説明するための断面図である。図中、図１等と同一の符号を付した部分は同一物を表わしている。図示例では、本発明の車両用ルーフマウントアンテナ装置は、車両室内から車両用ルーフマウントアンテナ装置にケーブルを接続するためのケーブル接続部５０を具備している。ケーブル接続部５０は、管状脚部２０が設置孔Ｈを貫通後に車両室内側から嵌合されるものである。そして、ケーブル接続部５０は、アンテナベース１０側の面から突出し管状脚部２０の内側に嵌合する管状突出部５１を有している。また、ケーブル接続部５０には、例えばケーブルのグラウンド線に接続される、アース爪５２が設けられており、ナット６０によりねじ締めされると、アース爪５２が車両ルーフＲに食い込み、車両ルーフＲに電気的に接地されることになる。
【００２３】
図４に示される通り、ケーブル接続部５０の管状突出部５１は、図３に示されるような管状脚部２０の内周形状に対応させて、その外周形状が形成されれば良い。例えば、管状突出部５１を管状脚部２０に挿入する角度が所定方向に固定されるように構成する場合には、管状脚部２０の内周形状及び管状突出部５１の外周形状は、挿入方向を軸とする回転方向で回転制限を受ける形状とすれば良い。より具体的には、図３に示されるように、管状脚部２０の内周形状は、例えば８角形状に形成されている。そして、図４に示されるように、管状突出部５１の外周形状は、これに対応させて８角形状に形成されている。なお、本発明において、ケーブル接続部５０を所定方向に固定されるように構成する場合には、図示例のような多角形状には限定されず、回転制限を受ける形状であれば良い。このように構成すると、管状脚部２０とケーブル接続部５０との接続角度が確実に特定の方向に決定されるため、正しい位置に嵌合可能となる。なお、ケーブル接続部が所定方向に固定されない構成とする場合には、管状脚部２０とケーブル接続部５０の形状は、円形状とすれば良い。
【００２４】
また、管状突出部５１の外周先端は、面カットされていても良い。面カットされることにより、管状脚部２０への挿入が容易となると共に、面カットの部分から８角形状の部分にかけてスムーズに特定の方向に回転しながらケーブル接続部５０が管状脚部２０に嵌合されることになる。
【００２５】
図５に示される通り、管状脚部２０が設置孔Ｈを貫通後、仮止め部３０が元の位置に戻り設置孔Ｈに係止した状態で、管状突出部５１が、管状脚部２０の内側、より具体的には、管状脚部２０とねじ１２の間の所定の間隔のところに嵌合していく。即ち、管状突出部５１の肉厚は、この所定の間隔に合わせたものとなっている。その後、図６に示されるように、管状突出部５１が完全に管状脚部２０に嵌合する。図示の通り、管状突出部５１は、仮止め部３０が管状脚部２０の内側方向に撓まないように、仮止め部３０を管状脚部２０の内側から支えるように構成されている。これにより、仮に管状脚部２０の設置孔Ｈへの挿入が甘く、仮止め部３０が撓んだまま元の形状に戻っていない場合であっても、管状突出部５１を挿入することにより、管状突出部５１が仮止め部３０の支点側から仮止め部３０を元の形状に戻すように押し広げていくことになるため、確実に仮止め部３０を正しい位置に持っていくことが可能となる。
【００２６】
このように、本発明の車両用ルーフマウントアンテナ装置は、仮止め部３０を管状脚部２０の先端近傍を支点に撓み可能に構成したことにより、仮止め部３０が撓んだまま元の形状に仮に戻っていなかったとしても、ケーブル接続部５０の管状突出部５１が管状脚部の先端側から嵌合され、仮止め部３０の支点側から元の形状に押し戻されることで、確実に固定されることになる。
【００２７】
本発明の車両用ルーフマウントアンテナ装置は、さらに以下のように構成されても良い。図７は、本発明の車両用ルーフマウントアンテナ装置のさらに他の例を説明するための側面図である。図中、図１等と同一の符号を付した部分は同一物を表わしている。図示の通り、本発明の車両用ルーフマウントアンテナ装置は、さらに、アンテナベース１０に回転防止突出部１５が設けられている。回転防止突出部１５は、アンテナベース１０の車両ルーフＲ側の面から突出するものである。これは、車両ルーフＲに設けられる第２設置孔Ｈ２に挿入されるものであり、設置孔Ｈに挿入される管状脚部２０との２箇所で固定されることで、アンテナベース１０が特定の方向で固定され、回転しないようにするために設けられている。また、回転防止突出部１５には、係止部１６が設けられている。そして、ケーブル接続部５０には、回転防止突出部１５の係止部１６に係止する係止部５６が設けられている。
【００２８】
このように構成された場合、管状脚部２０を車両ルーフＲの設置孔Ｈに挿入後、車両室内側からケーブル接続部５０を嵌合する際に、ケーブル接続部５０の係止部５６が、回転防止突出部１５の係止部１６に係止される。この係止される際に、係止部でカチッと音がなるため、ケーブル接続部５０が確実に管状脚部２０に嵌合されたことが、音でも確認可能となる。
【００２９】
なお、本発明の車両ルーフマウントアンテナ装置は、上述の図示例にのみ限定されるものではなく、本発明の要旨を逸脱しない範囲内において種々変更を加え得ることは勿論である。
【符号の説明】
【００３０】
１０    アンテナベース
１１    導電板
１２    ねじ
１５    回転防止突出部
１６，５６    係止部
２０    管状脚部
３０    仮止め部
３１    係止爪
５０    ケーブル接続部
５１    管状突出部
５２    アース爪
６０    ナット
Ｈ    設置孔
Ｈ２    第２設置孔
Ｒ    車両ルーフ
【図１】
0005627641.tif 000002
【図２】
0005627641.tif 000003
【図３】
0005627641.tif 000004
【図４】
0005627641.tif 000005
【図５】
0005627641.tif 000006
【図６】
0005627641.tif 000007
【図７】
0005627641.tif 000008